(57)【要約】【課題】作業性が低下することなく、折れや曲がりが発生することなく、レバーの組み付けを簡単に行うことができるレバー操作式コネクタを提供する。【解決手段】ハウジング本体２と、フード部３と、相手コネクタとの嵌合時に回動して相手コネクタ側へハウジング本体２とフード部３とを移動させるレバー４とを備える。ハウジング本体２の外周とフード部３の内周とを連接し、ハウジング本体２の外周とフード部３の内周とを所定の間隔に保持し、レバー４を回動自在に支持するレバーボス部１１を設け、レバー４には、レバーボス部１１が挿入されるボス取付孔１９と、このボス取付孔１９と前記レバー４の外方とを連通し、レバー４をハウジング本体２の外周とフード部３の内周との間へ組み付ける時にレバーボス部１１が挿通するボス通し孔２１とが設けられている。【選択図】図５
2010113914.tif 000002
【特許請求の範囲】
【請求項１】
電線端末の端子金具が収容されるハウジング本体と、このハウジング本体の外周を覆うフード部と、前記ハウジング本体とフード部との間に回動自在に取り付けられて相手コネクタとの嵌合時に回動して相手コネクタ側へハウジング本体とフード部とを移動させるレバーとを備えたレバー操作式コネクタであって、
前記ハウジング本体の外周と前記フード部の内周とを連接し、前記ハウジング本体の外周とフード部の内周とを所定の間隔に保持し、前記レバーを回動自在に支持するレバーボス部を設け、
前記レバーには、前記レバーボス部が挿入されるボス取付孔と、このボス取付孔と前記レバーの外方とを連通し、前記レバーを前記ハウジング本体の外周とフード部の内周との間へ組み付ける時に前記レバーボス部が挿通するボス通し孔とが設けられていることを特徴とするレバー操作式コネクタ。
【請求項２】
請求項１記載のレバー操作式コネクタであって、
前記ハウジング本体の外周におけるシール部材が装着されるシール部材装着部の外側に外周壁が設けられ、該外周壁と前記フード部との内周との間に前記レバーボス部が設けられていることを特徴とするレバー操作式コネクタ。
【請求項３】
請求１又は２記載のレバー操作式コネクタであって、
前記レバーは、対向する一対のレバー側板と、レバー側板の一端側同士を連結する連結板とで形成され、前記レバー側板に前記ボス取付孔と、前記ボス通し孔とが設けられていることを特徴とするレバー操作式コネクタ。
【請求項４】
請求項１〜３のいずれか一項に記載のレバー操作式コネクタであって、
前記レバーボス部には、レバー組み付け方向に沿ってガイド溝が設けられ、前記ボス通し孔の内壁には前記ガイド溝に案内されるガイドが設けられていることを特徴とするレバー操作式コネクタ。
【発明の詳細な説明】
【技術分野】
【０００１】
本発明は、レバーを操作することにより相手コネクタとの嵌合を行うことが可能なレバー操作式コネクタに関する。
【背景技術】
【０００２】
レバー操作式コネクタは、レバーを回動操作する際に、てこの原理を利用することにより相手コネクタとの嵌合の挿入力を低減させることが可能となっている。従来のレバー操作式コネクタとしては、特許文献１及び２に開示された構造が知られている。これらのコネクタは、いずれも端子収容室を有するハウジング本体をフード部が覆っており、ハウジング本体とフード部との間にレバーが組み付けられる構造となっている。レバーを組み付けるため、フード部には、ハウジング本体側に突出するボス突起が形成されており、ボス突起にレバーを取り付けた状態で、ボス突起を中心にレバーを回動させることにより相手コネクタとの嵌合を行うようになっている。
【特許文献１】特開２００６−３５１３３１号公報
【特許文献２】実開平３−４６７２号公報
【発明の開示】
【発明が解決しようとする課題】
【０００３】
しかしながら、従来のレバー操作式コネクタでは、成形時にヒケによってハウジング本体とフード部との間にレバーを挿入することが困難となる場合がある。
【０００４】
図１２は、これを説明するものであり、ハウジング本体１１０と、ハウジング本体１１０の外周を覆うフード部１２０とによってコネクタ１００が形成されている。ハウジング本体１１０とフード部１２０との間には、挿入空間１３０が形成されており、この挿入空間１３０内にレバー１４０が挿入される。なお、フード部１２０の内面には、ボス突起１２５が形成されており、レバー１４０はこのボス突起１２５に係合するように挿入空間１３０内に挿入される。
【０００５】
コネクタ１００を樹脂によって成形する際にヒケが生じると、フード部１２０が破線のように変形するため、フード部１２０とハウジング本体１１０との間の間隔が小さくなる。すなわち、挿入空間１３０の本来の寸法ｄ１に対し、ヒケが生じたときの寸法ｄ２が小さくなり、厚さｔのレバー１４０を挿入空間１３０に挿入することが難しくなり、そのままではレバー１４０の組み付けが困難となる。  このため、従来では、レバー組み付け治具を用いて挿入空間１３０を広げる必要があり、レバー１４０の組み付け作業性が低下したり、負荷によってフード部１２０に折れや曲がりが発生する問題がある。
【０００６】
そこで、本発明は、作業性が低下することなく、折れや曲がりが発生することなく、レバーの組み付けを簡単に行うことができるレバー操作式コネクタを提供することを目的とする。
【課題を解決するための手段】
【０００７】
請求項１記載の発明のレバー操作式コネクタは、電線端末の端子金具が収容されるハウジング本体と、このハウジング本体の外周を覆うフード部と、前記ハウジング本体とフード部との間に回動自在に取り付けられて相手コネクタとの嵌合時に回動して相手コネクタ側へハウジング本体とフード部とを移動させるレバーとを備えたレバー操作式コネクタであって、前記ハウジング本体の外周と前記フード部の内周とを連接し、前記ハウジング本体の外周とフード部の内周とを所定の間隔に保持し、前記レバーを回動自在に支持するレバーボス部を設け、
前記レバーには、前記レバーボス部が挿入されるボス取付孔と、このボス取付孔と前記レバーの外方とを連通し、前記レバーを前記ハウジング本体の外周とフード部の内周との間へ組み付ける時に前記レバーボス部が挿通するボス通し孔とが設けられていることを特徴とする。
【０００８】
請求項２記載の発明は、請求項１記載の発明であって、前記ハウジング本体の外周におけるシール部材が装着されるシール部材装着部の外側に外周壁が設けられ、該外周壁と前記フード部との内周との間に前記レバーボス部が設けられていることを特徴とする。
【０００９】
請求項３記載の発明は、請求１又は２記載の発明であって、前記レバーは、対向する一対のレバー側板と、レバー側板の一端側同士を連結する連結板とで形成され、前記レバー側板に前記ボス取付孔と、前記ボス通し孔とが設けられていることを特徴とする。
【００１０】
請求項４記載の発明は、請求項１〜３のいずれか一項に記載の発明であって、前記レバーボス部には、レバー組み付け方向に沿ってガイド溝が設けられ、前記ボス通し孔の内壁には前記ガイド溝に案内されるガイドが設けられていることを特徴とする。
【発明の効果】
【００１１】
本発明によれば、ボス通し孔を介してレバーボス部をボス取付孔に挿入することによりレバーを組み付けることができる。レバーボス部がハウジング本体の外周とフード部の内周とを連接するように設けられていることから、レバーボス部がこれらを連結する柱状となっている。このため、フード部が内側へ倒れようとしてもレバーボス部によって支えられているので、フード部の内側への倒れを抑制することができる。これにより、レバーボス部はハウジング本体の外周とフード部の内周とを一定の間隔に保持し、これらの間にレバーを円滑に挿入することができる。従って、本発明によれば、レバー組み付けの作業性が低下することなく、しかもフード部に折れや曲がりが発生することなく、レバーの組み付けを簡単に行うことができる。
【発明を実施するための最良の形態】
【００１２】
以下、本発明を図示する実施形態により、具体的に説明する。なお、各実施形態において、同一の部材には同一の符号を付して対応させてある。
【００１３】
［第１実施形態］
図１〜図７は、本発明の第１実施形態のレバー操作式コネクタを示し、図１及び図２は、正面図、図３は、正面からの斜視図、図４は、レバーを装着する前の斜視図、図５は、ハウジング本体及びレバーの詳細を示す説明図、図６は、レバーを組み付ける操作を示す平面図、図７は、要部の斜視図である。
【００１４】
この実施形態のレバー操作式コネクタ（以下、コネクタ）１は、ハウジング本体２と、フード部３と、レバー４とを備えている。
【００１５】
フード部３は、ハウジング本体２の外周を覆うようにハウジング本体２と一体に形成されており、ハウジング本体２及びフード部３の全体は合成樹脂の射出成形により成形されている。
【００１６】
ハウジング本体２は、複数の端子収容室５を有しており、それぞれの端子収容室５内には図示しない端子金具が収容される。それぞれの端子収容室５には、図７に示すように、片持ち梁状のランス６が設けられており、ランス６が端子金具に弾性的に係止することにより端子金具の端子収容室５からの抜け止めが行われる。
【００１７】
図示を省略するが、ハウジング本体２における端子金具挿入側と反対側の端部（先端部）には、リテーナが設けられており、リテーナにより端子収容室５に対する端子金具の位置決めが行われるようになっている。
【００１８】
図２及び図３に示すように、ハウジング本体２の外周には、シール部材としてのパッキン７が取り付けられている。パッキン７は、ゴムからなり、ハウジング本体２における端子収容室５の形成領域の外周を覆っている。
【００１９】
フード部３は、ハウジング本体２の外周と一定の間隔を有してハウジング本体２の外周を覆っている。そして、フード部３の内周と、ハウジング本体２の外周との間には、レバーボス部１１が形成されている。レバーボス部１１は、ハウジング本体２の外周とフード部３の内周とを連接するものであり、この実施形態ではハウジング本体２の上下に一対ずつ設けられている。すなわち、上部の一対のレバーボス部１１は、ハウジング本体２の上部の外周とフード部３の上部の内周とを連接し、下部の一対のレバーボス部１１は、ハウジング本体２の下部の外周とフード部３の下部の内周とを連接するようになっている。このように、上下にそれぞれ一対のレバーボス部１１を設けることにより、成形時のヒケが生じることがなく、ハウジング本体２の外周とフード部３との内周との間に一定の間隔Ｓを保持した挿入空間９を形成することができる。
【００２０】
この実施形態においては、図５及び図７に示すように、ハウジング本体２の外周におけるパッキン７が装着された装着部位の外側には外周壁１２が設けられており、この外周壁１２と、フード部３の内周との間にレバーボス部１１が設けられている。このように、パッキン７の外側に外周壁１２を設けることにより、パッキン７の邪魔とならない状態でレバーボス部１１を形成することが可能となっている。
【００２１】
図４及び図５に示すように、レバー４は対向する一対のレバー側板１５と、レバー側板１５の一端側を相互に連結する連結板とによって形成され、全体が合成樹脂の射出成形により形成されている。一対のレバー側板１５は、上述した挿入空間９に挿入されることにより、ハウジング本体２の外周（外周壁１２の外周）とフード部３の内周との間に挿入される。これにより、一対のレバー側板１５は、ハウジング本体２を上下から挟むようになっている。
【００２２】
一対のレバー側板１５は、挿入空間９に設けられているレバーボス部１１に取り付けられるものであり、それぞれのレバー側板１５には、ボス取付孔１９及びボス通し孔２１が形成されている。一のレバー側板１５におけるボス取付孔１９及びボス通し孔２１は、上下位置の挿入空間９におけるレバーボス部１１に対応するものであり、このため、これらは対となって一のレバー側板１５に形成されている。
【００２３】
ボス取付孔１９には、対応しているレバーボス部１１が挿入される。ボス通し孔２１は、それぞれのボス取付孔１９から外方に伸びており、ボス取付孔１９とレバー４の外方とを連通するようになっている。レバー４を組み付ける際には、ボス通し孔２１からレバーボス部１１が挿入された後、レバーボス部１１がボス取付孔１９に挿入される。これにより、レバー４が挿入空間９内に回動可能に組み付けられる。
【００２４】
図５に示すように、レバーボス部１１には縮径部２３が形成されている。縮径部２３は、レバーボス部１１の一部を平行カットすることにより形成されるものであり、レバー４をレバーボス部１１に組み付ける際のガイド溝として機能する。これに対し、ボス通し孔２１の内壁には、レバー凸部２５が形成されている。レバー凸部２５は、ボス通し孔２１の内壁をレバー側板１５よりも段状に薄肉とすることにより形成されている。レバー凸部２５の厚さは、レバーボス部１１の縮径部２３の厚さに対応しており、レバー側板１５をレバーボス部１１に取り付ける際に、縮径部２３と共にレバー側板１５を案内するガイドとして機能する。
【００２５】
図５に示すように、一対のレバー側板１５の対向面には係合突起２７が形成されている。係合突起２７は、コネクタ１を相手コネクタと嵌合させる際に、コネクタ１を相互に接近させるように機能する。
【００２６】
図４及び図５に示すように、ハウジング本体２の左右の側面にはレバーロックアーム３１が設けられている。レバーロックアーム３１は、レバー４をコネクタ１に取り付けた状態を保持したり、取り外したりするための部材である。このレバーロックアーム３１は、レバー４の回動方向に沿って伸びるようにハウジング本体２の両側面に設けられたアーム基部３２と、アーム基部３２に設けたロック係止部３３及び指当て部３４とを備えている。
【００２７】
アーム基部３２は、片持ち状となっており、弾性を有した状態でハウジング本体２の両側面に設けられている。ロック係止部３３は、レバー４がコネクタ１に押し込まれたときに、レバー４の連結板１７の内面の係止溝（図示省略）に係止されるものであり、これによりレバー４のコネクタ１への取り付け状態を保持することができる。この実施形態において、レバーロックアーム３１は、ハウジング本体２の左右の両側面に設けられている。これにより、レバー４を反転してコネクタ１に取り付けても、その取り付けができるため、取り付けの自由度が増大する。
【００２８】
指当て部３４は、アーム基部３２の自由端側に設けられており、指当て部３４を押圧することによりアーム基部３２をハウジング本体２側に変位させることができる。この変位により、連結板１７に係止しているロック係止部３３がロック状態から解除される。従って、レバー４を回動操作することができる。
【００２９】
この実施形態におけるレバー４の組み付け操作を説明する。図５及び図６（Ａ）で示すように、一対のレバー側板１５におけるレバー凸部２５を各レバーボス部１１の縮径部２３に位置合わせする。これにより、コネクタ１に対するレバー４の取り付け姿勢が決定する。
【００３０】
次に、レバー４を図６（Ａ）の矢印Ｆで示す方向に押し込む。これにより、図６（Ｂ）で示すように、ボス取付孔１９にレバーボス部１１が挿入されてレバー４の組み付けが行われる。
【００３１】
図７は、レバー４を組み付けた後のコネクタ１に対して相手コネクタ５１を嵌合させた状態を示している。相手コネクタ５１のフード部５２がハウジング本体２の外周と、フード部３の内周との間に挿入されることにより、コネクタ１及び相手コネクタ５１の嵌合が行われる。
【００３２】
以上の実施形態では、ハウジング本体２の外周壁１２とフード部３の内周とを連接するようにレバーボス部１１が設けられることにより、フード部３の変形や撓みを抑制することができる。このため、ハウジング本体２とフード部３との間の挿入空間９を一定の間隔Ｓとすることができる。従って、治具等を用いて挿入空間９を広げることなく、レバー４を組み込むことができ、作業性が向上する。しかも、レバー４の組み込みは、単に押し込むだけで良いため、簡単に組み付けることができる。
【００３３】
［第２実施形態］
図８〜図１１は、本発明の第２実施形態を示し、図８は、分解斜視図、図９は、レバーを組み付ける平面からの説明図、図１０は、レバーを組み付けた状態の斜視図、図１１は、レバーを組み付けた状態の断面図及び部分拡大断面図である。
【００３４】
この実施形態のレバー操作式コネクタ１Ａは、ハウジング本体２と、フード部３と、レバー４とを有している。フード部３は、ハウジング本体２の外周を覆うようにハウジング本体２と一体に形成されている。ハウジング本体２の外周と、フード部３との間には、第１実施形態と同様に挿入空間９が設けられており、挿入空間９にレバー４が挿入されて組み付けられる。
【００３５】
図８に示すように、ハウジング本体２の端子収容室５には、端子金具４１が挿入される。端子金具４１は、電線の端末に取り付けられるものであり、電線の外周には防水栓４３が装着されている。
【００３６】
図８に示すように、ハウジング本体２とフード部３との間には、ハウジング本体２の外周を覆うようにパッキン７が取り付けられる。ハウジング本体２における端子金具４１の挿入側と反対側の端部には、リテーナ４５が取り付けられる。また、ハウジング本体２の左右の両側面には、第１実施形態と同様に、レバー４のロック及びその解除を行うレバーロックアーム３１が設けられている。レバーロックアーム３１は、片持ち状のアーム基部３２と、アーム基部３２に設けられたロック係止部３３及び指当て部３４とを備えている。
【００３７】
レバー４は、第１実施形態と同様に、対向する一対のレバー側板１５と、レバー側板１５を一端側で連結する連結板１７とを備えている。それぞれのレバー側板１５には、ボス取付孔１９及びボス通し孔２１が形成されている。
【００３８】
この実施形態において、レバーボス部１１は、図１１に示すように、ハウジング本体２の外周とフード部３の内周とを連接するように形成されている。レバーボス部１１を形成することにより、ハウジング本体２の外周とフード部３との内周との間には、挿入空間９が形成されている。この場合、レバーボス部１１がハウジング本体２の外周とフード部３の内周とを連結する柱状となっており、これにより、挿入空間９は一定の間隔を保持することができる。
【００３９】
この実施形態では、図９に示すように、レバーボス部１１に対してボス通し孔２１を対向させた状態でレバー４をハウジング本体２の外周とフード部３の内周との間の挿入空間９に押し込む。このことにより、レバーボス部１１がボス通し孔２１を介してボス取付孔１９内に挿入されてレバー４がレバーボス部１１に回動可能に装着される。
【００４０】
このようにレバーボス部１１がハウジング本体２の外周とフード部３の内周とを連接する構造とすることにより、フード部３の変形や撓みを抑制することができるため、図１１に示すように、挿入空間９の間隔ａがレバー側板１５の厚さｂよりも大きい状態とすることができる。これにより、治具等を用いて挿入空間９を広げることなく、レバー４を組み込むことができるため、作業性が向上する。しかも、単にレバー４を押し込むだけで良いため、簡単に組み付けることができる。
【図面の簡単な説明】
【００４１】
【図１】本発明の第１実施形態のコネクタを示す正面図である。
【図２】パッキンを取り付けた状態のコネクタを示す正面図である。
【図３】パッキンを取り付けた状態のコネクタを示す正面からの斜視図である。
【図４】レバーの取り付け前を示す分解斜視図である。
【図５】ハウジング本体及びレバーの詳細を示す斜視図及びＤ部、Ｅ部の拡大斜視図である。
【図６】（Ａ）及び（Ｂ）はレバーを組み付ける操作手順を示す平面図である。
【図７】相手コネクタとの嵌合状態を示す要部の斜視図である。
【図８】第２実施形態のコネクタの分解斜視図である。
【図９】第２実施形態におけるレバーを組み付ける状態を示す平面からの説明図である。
【図１０】レバーを組み付けた状態の斜視図である。
【図１１】レバーを組み付けた状態の断面図及びＧ部の部分拡大断面図である。
【図１２】従来のレバー操作式コネクタの問題点を説明する断面図である。
【符号の説明】
【００４２】
１、１Ａ  レバー操作式コネクタ
２  ハウジング本体
３  フード部
４  レバー
５  端子収容室
７  パッキン
９  挿入空間
１１  レバーボス部
１２  ハウジング本体の外周壁
１５  レバー側板
１７  連結板
１９  ボス取付孔
２１  ボス通し孔
２３  縮径部
２５  レバー凸部
【図１】
2010113914.tif 000003
【図２】
2010113914.tif 000004
【図３】
2010113914.tif 000005
【図４】
2010113914.tif 000006
【図５】
2010113914.tif 000007
【図６】
2010113914.tif 000008
【図７】
2010113914.tif 000009
【図８】
2010113914.tif 000010
【図９】
2010113914.tif 000011
【図１０】
2010113914.tif 000012
【図１１】
2010113914.tif 000013
【図１２】
2010113914.tif 000014